(57)【特許請求の範囲】
【請求項１】
鉛筆差込孔３を側面部に開口した内側ケース１の内部に削り刃５を設置し、鉛筆差込孔３に挿入した鉛筆６の芯先と対向するように位置して且つ削り刃５に沿って鉛筆６の軸方向へ移動自在な芯接触コマ８を同じく内側ケース１の内部に具え、内側ケース１において鉛筆差込孔３の反対側の側面部に通孔９を設けて、上記の芯接触コマ８をバネ１１で付勢することにより芯接触コマ８に一体的に設けたピン１０を通孔９から内側ケース１の外部へ突出させ、内側ケース１の外側に内側ケース１の周囲を回動自在な外側ケース２を配し、その外側ケース２の内周面において上記のピン１０の先端と対向する位置に内側ケース１の中心からその底までの距離を連続的に変化させる周方向の溝１３を設け、その溝１３の底における周方向の適宜な複数箇所に上記のピン１０の先端が挿脱自在な係止凹部１４を設けたことを特徴とする手動鉛筆削り器。
【発明の詳細な説明】
【０００１】
【発明の属する技術分野】
本発明は手動鉛筆削り器に関する。
【０００２】
【従来の技術】
従来、鉛筆の芯の削り太さを調整可能とした各種の手動鉛筆削り器が公知であるが、その調整手段には主にカムなどの部品を使用することが多く、又、そのカム等を作動させる操作手段としては主にダイヤルや押ボタンなどの部材を用いることが多い。
【０００３】
したがって、使用する部品点数が多くてコスト高になるという不満があり、又、ダイヤルや押ボタンなどの操作部材を用いると外観の形状が制約されるので自由なデザインを施しにくいという不満がある。
【０００４】
【発明が解決しようとする課題】
そこで本発明は上記の不満を解消すること、すなわち、もちろん鉛筆の芯の削り太さを調整することができるが、カムやダイヤル、押ボタンなどの部品を省いて部品点数を減らすことによりコストを下げることができ、かつ、ダイヤルや押ボタンなど外面部に露呈する操作部材を無くして外観のデザインの自由度を増大することができる手動鉛筆削り器の提供を課題とする。
【０００５】
【課題を解決するための手段】
上記課題を解決するために、本発明の手動鉛筆削り器は、鉛筆差込孔３を側面部に開口した内側ケース１の内部に削り刃５を設置し、鉛筆差込孔３に挿入した鉛筆６の芯先と対向するように位置して且つ削り刃５に沿って鉛筆６の軸方向へ移動自在な芯接触コマ８を同じく内側ケース１の内部に具え、内側ケース１において鉛筆差込孔３の反対側の側面部に通孔９を設けて、上記の芯接触コマ８をバネ１１で付勢することにより芯接触コマ８に一体的に設けたピン１０を通孔９から内側ケース１の外部へ突出させ、内側ケース１の外側に内側ケース１の周囲を回動自在な外側ケース２を配し、その外側ケース２の内周面において上記のピン１０の先端と対向する位置に内側ケース１の中心からその底までの距離を連続的に変化させる周方向の溝１３を設け、その溝１３の底における周方向の適宜な複数箇所に上記のピン１０の先端が挿脱自在な係止凹部１４を設けたことを特徴とする、という構成を採るものである。
【０００６】
【発明の実施の形態】
以下、図を用いて本発明の実施の形態について説明する。まず、図１に示すように、本発明の手動鉛筆削り器は、内側ケース１の周りを外側ケース２が取り囲んだ構造になっていて、外側ケース２は内側ケース１の周囲を回動自在である。したがって、内側ケース１は図示したように外周面の全体が丸くなっているか、若しくは外周面の一部が丸い形状を呈することになる。
【０００７】
内側ケース１は側面部に鉛筆差込孔３を開口している。したがって、内側ケース１の鉛筆差込孔３を露呈させるために、内側ケース１の周囲を取り囲む外側ケース２は、環状体の一部を切り欠いた略Ｕ字状の平面形状を呈するようになる。
【０００８】
なお、図２に示すように、内側ケース１に着脱自在なキャップ４を具えることも可能である。そのキャップ４は内側ケース１の内部を視認できるように透明にすることが好ましい。
【０００９】
内側ケース１は、図３及び図４に示すように、その内部に削り刃５を設置している。この削り刃５は、鉛筆差込孔３に挿入した鉛筆６の芯７を斜めに削ることができるように向きを設定している。
【００１０】
同じく図３及び図４に示すように、内側ケース１は内部に芯接触コマ８を具えている。この芯接触コマ８は、鉛筆差込孔３に挿入した鉛筆６の芯先と対向するように位置して、かつ、削り刃５に沿って鉛筆差込孔３に挿入した鉛筆６の軸方向へ移動自在になっている。
【００１１】
同じく図３及び図４に示すように、内側ケース１は鉛筆差込孔３の反対側の側面部に通孔９を設けていて、芯接触コマ８は通孔９に向ってピン１０を一体的に突設している。また、芯接触コマ８にはバネ１１を組み付けていて、このバネ１１はピン１０が通孔９から内側ケース１の外部へ突出する方向へ芯接触コマ８を付勢している。
【００１２】
内側ケース１の周囲には上記のように外側ケース２を回動自在に配している。外側ケース２はその内周面を内側ケース１の外周面に直に接触させて摺動するようにしてもよいが、図３に示すように、両者の間にボール状部材１２を介在させることも可能である。このようにボール状部材１２を介在させれば、内側ケース１に対する外側ケース２の回動を円滑にすることができる。
【００１３】
外側ケース２の内周面において、上記のように内側ケース１の外部へ突出した芯接触コマ８のピン１０の先端と対向する位置には周方向の溝１３を設けている。この溝１３は、内側ケース１の中心からその底までの距離を連続的に変化させている。すなわち、この溝１３は深さが連続的に変化するもので、図３に示すように、一端を浅くして他端に向って次第に深くすることができる。
【００１４】
内側ケース１から外部へ突出した芯接触コマ８のピン１０は上記のバネ１１の力で先端を溝１３の底に接触させた状態を維持し、外側ケース２を回動させると溝１３の底を摺動して移動する。溝１３の底における周方向の適宜な複数箇所にはピン１０の先端が挿脱自在な係止凹部１４を設けている。
【００１５】
図５及び図６に示すように、外側ケース２を内側ケース１に対して、ピン１０が溝１３の浅い方へ移動するように一方へ回転させると、鉛筆差込孔３に挿入した鉛筆６の芯７の先端が当接する上記の芯接触コマ８が鉛筆差込孔３の入口の方へ移動するので、鉛筆６の削り長さが小さくなって芯７も太く削られることになる。
【００１６】
逆に、図７及び図８に示すように、外側ケース２を内側ケース１に対して、ピン１０が溝１３の深い方へ移動するように逆方向へ回転させると、芯接触コマ８は鉛筆差込孔３の奥の方へ移動するので、鉛筆６の削り長さが大きくなって芯７も細く削られることになる。なお、図６及び図８に示すように、外側ケース２の回動位置と削られる芯７の太さの相関関係を示す目盛１５をキャップ４の表面に表示することが好ましい。
【００１７】
なお、図９に示すように、不使用時に、鉛筆差込孔３の入口が外側ケース２の内側に隠れる範囲まで、外側ケース２を内側ケース１に対して回動できるようにするとともに、その状態を固定できるように、ピン１０の先端が挿脱自在な係止凹部１６を溝１３の底における上記の係止凹部１４とは別の位置に設けることが可能である。このようにすれば、鉛筆差込孔３の入口を隠すことができるので、外観の見映えを良くすることができるとともに、削りカスが鉛筆差込孔３から落下するのも防止することができる。
【００１８】
【発明の効果】
本発明の手動鉛筆削り器は上記の通りであり、内側ケース１の周囲に配した外側ケース２を回動させることにより鉛筆６の芯７の削り太さを自由に調整することができて、従来品に使用されていたカムやダイヤル、押ボタンなどの部品を省けるので、部品点数を減らしてコストを下げることができる。また、ダイヤルや押ボタン等の操作部材を設ける必要がないので、外観意匠を自由にデザインすることができる。
【図面の簡単な説明】
【図１】斜視図である。
【図２】キャップを外した状態の斜視図である。
【図３】図１のＡ−Ａ線における断面図である。
【図４】図１のＢ−Ｂ線における断面図である。
【図５】鉛筆の芯を太く削るように外側ケースを一方へ回転した状態における図３と同一位置の断面図である。
【図６】図５と同一状態における平面図である。
【図７】鉛筆の芯を細く削るように外側ケースを逆方向へ回転した状態における図３と同一位置の断面図である。
【図８】図７と同一状態における平面図である。
【図９】鉛筆差込孔の入口が外側ケースの内側に隠れる位置まで外側ケースを回転した状態における図３と同一位置の断面図である。
【符号の説明】
１  内側ケース
２  外側ケース
３  鉛筆差込孔
４  キャップ
５  削り刃
６  鉛筆
７  芯
８  芯接触コマ
９  通孔
１０  ピン
１１  バネ
１２  ボール状部材
１３  溝
１４  係止凹部
１５  目盛
１６  係止凹部
【図１】
0003618637.tif 000002
【図２】
0003618637.tif 000003
【図３】
0003618637.tif 000004
【図４】
0003618637.tif 000005
【図５】
0003618637.tif 000006
【図６】
0003618637.tif 000007
【図７】
0003618637.tif 000008
【図８】
0003618637.tif 000009
【図９】
0003618637.tif 000010